(57)【要約】【課題】  本発明は、生体の末梢部に装着するセンサによって血圧を測定する電子血圧計において、生体の末梢部において測定する血圧値と、上腕部において前記標準測定法により測定する血圧値との差を十分に補正して、上腕部で計測した血圧値と略同じである血圧値を出力することのできる電子血圧計を提供することを目的とする。【解決手段】  本発明に係る電子血圧計１は、生体の末梢部７において血圧を測定する電子血圧計であり、測定した血圧値を補正して出力する補正手段３を有し、補正手段が予め前記生体の末梢部で測定した血圧値と予め標準測定法で測定した血圧値との関係を補正式として記憶し、前記生体の末梢部において測定した血圧値を前記補正式で補正して出力することを特徴とする。【選択図】図１
2005312741.tif 000002
【特許請求の範囲】
【請求項１】
生体の末梢部において血圧を測定する電子血圧計において、測定した血圧値を補正して出力する補正手段を備えることを特徴とする電子血圧計。
【請求項２】
前記補正手段が、予め前記生体の末梢部で測定した血圧値と予め標準測定法で測定した血圧値との関係を補正式として記憶し、前記生体の末梢部において測定した血圧値を前記補正式で補正して出力することを特徴とする請求項１に記載の電子血圧計。
【請求項３】
最高血圧値についての前記補正式は、
Ａ１×前記生体の末梢部で測定した最高血圧値＋Ｂ１で表され、
Ｂ１＝前記生体の末梢部と前記生体の心臓との高さの差を血圧値に換算した定数、
Ａ１＝（前記標準測定法で測定した最高血圧値−Ｂ１）÷前記生体の末梢部で測定した最高血圧値、
であることを特徴とする請求項２に記載の電子血圧計。
【請求項４】
最低血圧値についての前記補正式は、
Ａ２×前記生体の末梢部で測定した最低血圧値＋Ｂ２で表され、
Ｂ２＝前記生体の末梢部と前記生体の心臓との高さの差を血圧値に換算した定数、
Ａ２＝（前記標準測定法で測定した最低血圧値−Ｂ２）÷前記生体の末梢部で測定した最低血圧値、
であることを特徴とする請求項２に記載の電子血圧計。
【請求項５】
前記生体の末梢部が耳介であることを特徴とする請求項１から４に記載の電子血圧計。
【請求項６】
生体の末梢部において血圧を測定する血圧測定方法において、測定した血圧値を補正する補正ステップを備えることを特徴とする血圧測定方法。
【請求項７】
前記補正ステップは、前記生体の末梢部で測定した血圧値と標準測定法で測定した血圧値との関係を表した補正式によって、前記生体の末梢部において測定した血圧値を補正するステップであることを特徴とする請求項６に記載の血圧測定方法。
【請求項８】
前記補正ステップにおいて、最高血圧値についての前記補正式を、
Ａ１×前記生体の末梢部で測定した最高血圧値＋Ｂ１で表され、
Ｂ１＝前記生体の末梢部と前記生体の心臓との高さの差を血圧値に換算した定数、
Ａ１＝（前記標準測定法で測定した最高血圧値−Ｂ１）÷前記生体の末梢部で測定した最高血圧値、
とすることを特徴とする請求項６に記載の血圧測定方法。
【請求項９】
前記補正ステップにおいて、最低血圧値についての前記補正式を、
Ａ２×前記生体の末梢部で測定した最低血圧値＋Ｂ２で表され、
Ｂ２＝前記生体の末梢部と前記生体の心臓との高さの差を血圧値に換算した定数、
Ａ２＝（前記標準測定法で測定した最低血圧値−Ｂ２）÷前記生体の末梢部で測定した最低血圧値、
とすることを特徴とする請求項６に記載の血圧測定方法。
【請求項１０】
血圧を測定する前記生体の末梢部を耳介とすることを特徴とする請求項６から９に記載の血圧測定方法。
【発明の詳細な説明】
【技術分野】
【０００１】
本発明は、生体の末梢部に装着したセンサによって血圧を測定する電子血圧計であって、特に、電子血圧計により測定した血圧値を補正し、血圧の標準測定法により測定した血圧値に換算して表示する機能を備えた電子血圧計及びその血圧測定方法に関するものである。
【背景技術】
【０００２】
近年、高齢化が進み、成人病や高齢者の健康維持への関心が高まり、その対策は社会的にも大きな課題になりつつある。特に、血圧は成人病や高齢者の健康状態の診断に重要な指標である。しかし、血圧の測定値は生体の活動状態により大きく変動するため、定期的かつ連続的な測定の重要性が認識されている。
【０００３】
このような要請に応えて、耳介、手首、指先などの生体の末梢部に装着する小型で装着性に優れ、日常的に携帯し、血圧の連続測定や随時測定が可能な血圧センサによる血圧計が開発されている。しかし、心臓から離れた生体の末梢部の血圧は、血圧値の標準測定法として用いられる心臓の高さに設定された上腕部の血圧とは異なった値となる。このため末梢部における血圧の測定値は被測定者にとって馴染みにくく、自己の健康管理に不便がある。ここで、血圧の標準測定法について図６を参照して説明する。図６はＪＩＳにおいて規定されている血圧の標準測定法の一例の説明図である。
【０００４】
図６において、標準測定法において用いられる一例として示す標準的血圧計５は一般にカフ５１と測定部５２により構成され、カフ５１は心臓と同じ高さとなる上腕部に装着され、カフ５１と測定部５２は信号線および空気パイプなどにより接続されている。
【０００５】
標準測定法においては、例えば、カフ５１に接続された図示していない空気ポンプ、あるいは測定部５２内の空気ポンプなどによりカフ５１に空気を送り、カフ５１は生体の上腕部に圧力を印加し、上腕部の血流が停止する状態からカフ５１の空気圧を減圧し、この減圧過程において上腕部の血液の脈流により発生する脈波が規定の振幅になった時点のカフ５１の印加圧力から最高血圧および最低血圧を測定する。ここで、脈波の振幅は音響として耳で聞く、あるいは測定部５２内において脈波の振幅を音響で捕らえ、さらに電気信号に変換して測定する、などの方法により測定される。
【０００６】
以上説明したことから、血圧値の標準測定法として用いられる心臓の高さに設定された上腕部の血圧の測定値と心臓から離れた生体の末梢部における血圧の測定値とが異なる原因としては大きく二つの要因が考えられる。
【０００７】
第一の要因は、生体の末梢部と心臓の高さとの差に対応して血管内の血液の重さが末梢部の血圧に影響して、両者の血圧値に差が生じるためである。すなわち、血圧の測定部の位置が心臓より低ければ、心臓から測定部の位置までの落差による血液の重さが加わった状態で血圧が測定され、逆に血圧の測定部の位置が心臓より高ければ血液の重さ分が差し引かれた血圧が測定されるためである。
【０００８】
第二の要因は、生体の末梢部と上腕部とでは血管太さや血流の状態が異なることにより、血圧差に差が生じることが考えられる。つまり、上腕部では、脈波の振幅を音響で捕らえられるほど血管が太く、血流量が末梢部よりも多い。
【０００９】
生体の末梢部で血圧を測定する従来の血圧計によって測定した血圧値と、心臓の高さに設定された上腕部の血圧を標準測定法により計測した場合の血圧値との差を補正する機能を備えた血圧計もある（例えば、特許文献１参照。）。特許文献１に開示されている血圧計の場合は、血圧測定と同時に測定部に設置された位置センサや角度センサによって心臓と測定部との高さの差を測定し、両者の高さの差による血圧の差を補正している。
【００１０】
しかし、特許文献１に開示されている血圧計の場合は、上記の第二の要因の血管の太さや血流の差による血圧の測定値の差は補正されていないため、末梢部で測定する血圧計により測定した血圧の測定値が十分に補正されていないという欠点があった。
【００１１】
従って、従来の生体の末梢部において血圧を測定する血圧計においては、生体の末梢部において測定する血圧値と、上腕部において測定する血圧値の標準測定法により測定する血圧値との差を十分に補正する手段を備えた血圧計は実現されていない。
【特許文献１】特開平０８-２１５１６０号公報
【発明の開示】
【発明が解決しようとする課題】
【００１２】
このような状況において、本発明は、生体の末梢部に装着するセンサによって血圧を測定する電子血圧計において、生体の末梢部において測定する血圧値と、上腕部において前記標準測定法により測定する血圧値との差を十分に補正して、上腕部で計測した血圧値と略同じである血圧値を出力することのできる電子血圧計を提供することを目的とする。また、本発明は、生体の末梢部で血圧を測定する血圧値を上腕部において前記標準測定法により測定する血圧値との差を十分に補正して、上腕部で計測した血圧値と略同じである血圧値として測定することができる血圧測定方法を提供することを目的とする。
【課題を解決するための手段】
【００１３】
上記課題を解決するために、発明者らは鋭意開発したところ、末梢部の高さと心臓の高さとの落差が測定誤差と関係し、末梢部の血圧を計測した計測結果を補正式によって補正することによって上腕部の血圧を、標準測定法により計測した値と略同じ値とすることができることを見出して本発明を完成させた。すなわち、本発明に係る電子血圧計は、生体の末梢部において血圧を測定する電子血圧計であり、測定した血圧値を補正して出力する補正手段を備えることを特徴とする。
【００１４】
上記電子血圧計において、前記補正手段が、予め前記生体の末梢部で測定した血圧値と予め標準測定法で測定した血圧値との関係を補正式として記憶し、前記生体の末梢部において測定した血圧値を前記補正式で補正して出力することが望ましい。
【００１５】
また、上記電子血圧計において、最高血圧値についての前記補正式は、Ａ１×前記生体の末梢部で測定した最高血圧値＋Ｂ１で表され、Ｂ１＝前記生体の末梢部と前記生体の心臓との高さの差を血圧値に換算した定数、Ａ１＝（前記標準測定法で測定した最高血圧値−Ｂ１）÷前記生体の末梢部で測定した最高血圧値、であることが望ましい。
【００１６】
また、上記電子血圧計において、最低血圧値についての前記補正式は、Ａ２×前記生体の末梢部で測定した最低血圧値＋Ｂ２で表され、Ｂ２＝前記生体の末梢部と前記生体の心臓との高さの差を血圧値に換算した定数、Ａ２＝（前記標準測定法で測定した最低血圧値−Ｂ２）÷前記生体の末梢部で測定した最低血圧値、であることが望ましい。
【００１７】
また、上記電子血圧計において、前記生体の末梢部が耳介であることが望ましい。
【００１８】
また、本発明に係る血圧測定方法は、生体の末梢部において血圧を測定する血圧測定方法において、測定した血圧値を補正する補正ステップを備えることを特徴とする。
【００１９】
上記血圧測定方法において、前記補正ステップは、前記生体の末梢部で測定した血圧値と標準測定法で測定した血圧値との関係を表した補正式によって、前記生体の末梢部において測定した血圧値を補正するステップであることが望ましい。
【００２０】
上記血圧測定方法の前記補正ステップにおいて、最高血圧値についての前記補正式を、Ａ１×前記生体の末梢部で測定した最高血圧値＋Ｂ１で表され、Ｂ１＝前記生体の末梢部と前記生体の心臓との高さの差を血圧値に換算した定数、Ａ１＝（前記標準測定法で測定した最高血圧値−Ｂ１）÷前記生体の末梢部で測定した最高血圧値、とすることが望ましい。
【００２１】
上記血圧測定方法の前記補正ステップにおいて、最低血圧値についての前記補正式を、Ａ２×前記生体の末梢部で測定した最低血圧値＋Ｂ２で表され、Ｂ２＝前記生体の末梢部と前記生体の心臓との高さの差を血圧値に換算した定数、Ａ２＝（前記標準測定法で測定した最低血圧値−Ｂ２）÷前記生体の末梢部で測定した最低血圧値、とすることが望ましい。
【００２２】
上記血圧測定方法において、血圧を測定する前記生体の末梢部を耳介とすることが望ましい。
【発明の効果】
【００２３】
本発明の生体の末梢部において血圧を測定する電子血圧計は、連続的に血圧を測定し、測定した血圧値と上腕部において標準測定法により測定した血圧値との差を補正して出力するので、上腕部で計測した血圧値と略同じである血圧値により、健康管理に有効に役立てることができるという利点がある。また、本発明の生体の末梢部において血圧を測定する血圧測定方法は、連続的に血圧を測定し、測定した血圧値と上腕部において標準測定法により測定した血圧値との差を補正するので、上腕部で計測した血圧値と略同じである血圧値により、健康管理に有効に役立てることができるという利点がある。
【発明を実施するための最良の形態】
【００２４】
以下、本願発明の実施の形態について、添付の図面を参照して説明するが、本発明はこれらの記載に限定して解釈されない。
【００２５】
図１は本発明の生体の末梢部において血圧を測定する電子血圧計の構成例を示す説明図である。本実施形態に係る電子血圧計１は、生体の末梢部としての耳７に装着して耳７の血圧を測定する血圧センサ２と、血圧センサ２が測定した血圧値を補正して出力する補正手段としての中継器３とを備える。また、電子血圧計１は、血圧測定時の緊急停止等の情報を出力するデータセンタ４を備えることとしてもよい。
【００２６】
血圧センサ２は、例えばカフにより耳７の一部を圧迫して、カフ内に設置した発光素子により生体組織へ光を入射させ、生体組織からの反射光をカフ内に設置した受光素子により受光し、反射光から得られる脈波信号から血圧値を測定する血圧センサを用いることも有効である。また、血圧センサ２は微弱無線、Ｂｌｕｅｔｏｏｔｈ、ＩｒＤＡなどの無線通信機能を備え、中継器３との間で測定データや制御信号の送受信を行う。本実施形態では、生体の末梢部として耳７の場合を示したが、血圧センサ２を装着する生体の末梢部として耳介であることが望ましい。耳介には血圧センサの装着が容易である。また、血圧センサを耳介に装着することは、日常生活への影響が少なく、健康管理に非常に有用な電子血圧計を提供できる。
【００２７】
中継器３は、血圧センサ２との間で微弱無線、Ｂｌｕｅｔｏｏｔｈ、ＩｒＤＡなどの無線通信により情報を通信し、血圧センサ２からの計測データを補正して出力する。この補正は、所定の補正表によって補正することもできるが、血圧センサ２によって計測した耳７の血圧値を標準測定法により測定した上腕部の血圧値に近づけるように補正する補正式を適用して自動的に補正することが望ましい。血圧センサ２によって計測した血圧値を補正式により自動補正することで、血圧値の結果が補正値であることを意識せずに直接参照することができる。また、この補正式を更新できる構成とすれば、電子血圧計１を長期間使用しない場合でも、使用するたび毎に補正式を設定することができる。そのため、体のコンディションが変わった時を基準にいつでも上腕部で計測した血圧値と略同じである血圧値を正確に計測することができる。また、中継器３は、電子血圧計１の血圧測定の開始・停止等の制御を行うこととしてもよい。また、ＰＨＳなどの無線通信手段により公衆通信網を通して、あるいは無線ＬＡＮなどの無線通信手段により構内通信網などを通して、データセンタ４との間で測定データや制御信号の送受信を行うこととしてもよい。このように、電子血圧計１は、血圧値の表示機能等の比較的消費電力の大きい機能は中継器３に搭載して手首などに装着し、血圧センサ２を小型軽量にしているので、血圧センサ２は快適に生体の末梢部へ装着できる。
【００２８】
データセンタ４は、中継器３から送信されてくる血圧の測定データを受信し、記憶し、解析する。解析の結果、再測定が必要な場合あるいは緊急な処置が必要な場合には、データセンタ４は再測定あるいは緊急処置の必要性を知らせる情報を中継器３へ送信する。このようなデータセンタ４を備えることより、電子血圧計１は、より精度のよい血圧計測を実現することができる。また、電子血圧計１を安全性の高い血圧計とすることができる。
【００２９】
ここで、補正手段としての中継器３の構成例を図２に示す。中継器３は、例えば、図１に示す電子血圧計１の測定開始、測定停止などの動作命令を行う押しボタン３５と、血圧センサ２との間で情報を相互に通信するセンサ通信部３１と、補正式の計算を行う記憶部３２と、データセンタ４との間で情報を相互に通信する通信部３３と、血圧の測定データ等のデータを表示及び出力する表示・出力部３６と、他の血圧計（不図示）が測定する血圧の測定データを受信する校正部３７と、中継器３の上記の各部の間の信号伝達を制御する制御部３４と、により構成することで実現できる。なお、電源や筐体などの通常の技術により実現できる部分は図面の煩雑さをさけるために表示していない。また、中継器３は、上記の構成に限定されない。
【００３０】
押しボタン３５は外部からの操作により、電子血圧計１の測定開始、測定停止などの動作を制御する機能を有する。押しボタン３５として、例えば１の命令のみを出力するプッシュスイッチを適用することができる。電子血圧計の動作は限られているので、押しボタン３５を押すタイミングと１のみの命令とによって電子血圧計１に種々の動作をさせることはできる。また、１のみの命令によって電子血圧計１に種々の動作をさせるため、電子血圧計１の操作性を向上させることができる。
【００３１】
センサ通信部３１は血圧センサ２との間で微弱無線、Ｂｌｕｅｔｏｏｔｈ、ＩｒＤＡなどの無線通信機能により測定データや制御信号を送受信する機能を有する。
【００３２】
記憶部３２は血圧の測定データ、あるいは血圧の測定データを補正する補正手段として、例えば補正式を記憶する機能を有する。また、血圧センサ２からの計測データを基に、この補正式を計算する機能を有する。ここで、補正式とは、生体の末梢部において血圧を測定する血圧センサ２の血圧の測定値と、例えば一般に用いられる腕や手首などにおいて測定する血圧の測定値との差を補正する補正式である。
【００３３】
通信部３３は図１に示すデータセンタ４へＰＨＳなどの無線通信手段により公衆通信網を通して、あるいは無線ＬＡＮなどの無線通信手段により構内通信網などを通して、測定データを送信し、さらにデータセンタ４から送信される情報を受信する機能を有する。
【００３４】
表示・出力部３６は血圧の測定データを表示し、出力する機能を有する。また、表示・出力部３６は、データセンタ４から送信される情報などを表示し、出力する機能を有することとしてもよい。また、データセンタ４から血圧の再測定や緊急の処置の必要性を知らせる情報を受信した場合は、これらの情報を表示・出力部３６に表示及び出力することとしてもよい。これらの情報を表示することで、計測の状態を視覚的にわかり易くすることができる。そのため、電子血圧計１の使用性が向上する。
【００３５】
校正部３７は補正手段として、例えば補正式を手動で入力できる例えばボタンなどの手動入力手段、あるいは有線通信手段あるいは無線通信手段により入力する入力手段を備えており、外部から入力される補正手段として、例えば補正式を受信する機能を有する。さらに、校正部３７は後述するように補正式を自動作成するために、他の血圧計が測定する血圧の測定データを入力するための、有線通信手段あるいは無線通信手段により入力する入力手段を備え、他の血圧計が測定する血圧の測定データを受信する機能を有する。
【００３６】
制御部３４はセンサ通信部３１、記憶部３２、通信部３３、校正部３７と双方向の信号伝達手段で接続されており、制御部３４とセンサ通信部３１、記憶部３２、通信部３３、校正部３７のそれぞれの間で測定データや制御信号の送受信が行なわれる。制御部３４と押しボタン３５とは信号伝達手段で接続され、押しボタン３５から送信される信号は制御部３４で受信され測定開始、測定停止などの全体の動作を制御する機能を有する。制御部３４と表示・出力部３６は信号伝達手段で接続され、制御部３４から送信される測定データや制御信号は表示・出力部３６で受信される。また、制御部３４は、後述の補正式の計算を行う命令を記憶部３２に向けて出力する機能を有する。
【００３７】
電子血圧計１において、補正式は、血圧センサ２によって測定された最高血圧値について、下記の数式１により表される補正式とすることが望ましい。数式１において、Ｂ１＝生体の末梢部と生体の心臓との高さの差を血圧値に換算した定数、Ａ１＝（標準測定法で測定した最高血圧値−Ｂ１）÷生体の末梢部で測定した最高血圧値、である。定数Ａ１は被測定者に固有の定数であり、耳７と上腕部の血管の太さなどにより決まる定数である。また、数式１において、定数Ｂ１は電子血圧計１を装着する位置と心臓の位置により決まる定数である。
【００３８】
【数１】
2005312741.tif 000003
【００３９】
また、電子血圧計１において、補正式は、血圧センサ２によって測定された最低血圧値について、下記の数式２により表される補正式とすることが望ましい。数式２において、Ｂ２＝生体の末梢部と生体の心臓との高さの差を血圧値に換算した定数、Ａ２＝（標準測定法で測定した最低血圧値−Ｂ２）÷生体の末梢部で測定した最低血圧値とする。定数Ａ２は数式１における定数Ａ１と同様に被測定者に固有の定数であり、耳７と上腕部の血管の太さなどにより決まる定数である。また、数式２において、定数Ｂ２は数式１における定数Ｂ１と同様に電子血圧計１を装着する位置と心臓の位置により決まる定数である。
【００４０】
【数２】
2005312741.tif 000004
【００４１】
上記数式１及び数式２によって血圧値を補正することによって、血流が少ない生体の末梢部で計測した血圧であっても、上腕部で計測される血圧値と略同じである血圧値を得ることができる。なお、個々人の生体特性によって電子血圧計１により測定した血圧値と標準測定法により測定した血圧値に曲線的な関係が認められる場合には数式１、数式２で表される一次の補正式に代えて高次の補正式を採用することとしてもよい。また、本実施形態では補正手段として、電気信号により自動で補正する形態を示したが、当然に補正前の血圧値と補正後の血圧値とが１対１に対応した変換表を適用することとしてもよい。この場合は、中継器３の記憶部３２には最高血圧用と最低血圧用との２種類の変換表が保存され、測定ごとに変換表が参照されて補正後の血圧値が求められる。
【００４２】
ここで、生体の末梢部において測定する血圧値と、上腕部の血圧値を標準測定法により測定する血圧値との差を補正する補正式を作成する方法について説明する。補正式は、本実施形態に係る電子血圧計１と一般に用いられる腕や手首などにおいて測定する血圧計とを、同時に血圧の被測定者に装着して、例えば歩行直後の比較的血圧の高い状態、さらに安静にしている比較的血圧の低い状態などにおいて、血圧を複数回測定する。ここで、最高血圧値に対して２種の血圧計により計測された複数のデータをグラフ化する。ここで、横軸を電子血圧計１による血圧値、縦軸を標準計測法による血圧値とする。このようにすると、複数のデータから線形一次の近似直線を得ることができる。そのため、この直線の傾きの値を数式１におけるＡ１とし、グラフの切片の値を数式１におけるＢ１として、数式１を完成させることができる。また、最低血圧値に対しても同様に２種の血圧計により計測された複数のデータをグラフ化する。ここで、横軸を電子血圧計１による血圧値、縦軸を標準計測法による血圧値とする。このようにすると、複数のデータから線形一次の近似直線を得ることができる。そのため、この直線の傾きの値を数式２におけるＡ２とし、グラフの切片の値を数式１におけるＢ２として、数式２を完成させることができる。このように、２種の血圧計により計測された複数のデータをグラフ化し、数式１、数式２における定数を手動によって求めて、補正式を作成することとしてもよい。
【００４３】
また、電子血圧計１の使用性を向上させるために、この補正式を自動的に作成することとしてもよい。図３に、補正式を自動的に作成する説明図を示す。図３において、一般に用いられる上腕部において血圧を測定する血圧計６は、図６において説明したように例えば、カフ６１と、測定部６２と、カフ６１に空気を送り込む空気パイプ６３と、により構成される。
【００４４】
カフ６１は、空気パイプ６３によって送り込まれた空気により膨らむことで腕に圧力を印加する。圧力を解除する場合には、カフ６１中の空気を抜くことで減圧する。
【００４５】
測定部６２は、カフ６１と空気パイプ６３により接続されている。測定部６２内の不図示の空気ポンプなどによりカフ６１に空気を送る。また、測定部６２は、カフ６１の減圧を行う。例えば、測定部６２に空気栓を設け、この空気栓を抜くことで空気パイプ６３を通じて、測定部６２からカフ６１内の空気を抜いて減圧する。あるいは、カフ６１に空気栓を設け、電気信号による命令によってこの空気栓を自動で抜くことでカフ６１内の空気を抜いて減圧する。ここで、補正式を自動で作成するために、測定部６２は、測定した血圧値を表示すると同時に、例えば有線通信手段あるいは無線通信手段により血圧値を中継部３に向けて出力する出力手段を備える。
【００４６】
補正式を自動作成する場合、血圧の被測定者に電子血圧計１と血圧計６を同時に装着する。さらに、血圧計６の測定部６２の出力手段と中継部３の校正部３７の入力手段とを例えば有線通信手段あるいは無線通信手段により接続する。この状態で、測定を開始する。
【００４７】
まず、測定部６２からカフ６１に空気を送り込み、腕に圧力を印加して、腕の血流が停止する状態からカフ６１の空気圧を減圧し、この減圧過程において腕の血液の脈流により発生する脈波が規定の振幅になった時点のカフ６１の印加圧力から最高血圧および最低血圧を測定する。ここで、脈波の振幅は音響的に耳で聞く、あるいは測定部６２内において脈波の振幅を音響で捕らえ、さらに電気信号に変換して測定するなどの方法がある。血圧計６の測定した血圧の測定データを測定部６２の出力手段により中継部３の校正部３７へ送信する。
【００４８】
校正部３７が受信した血圧計６の測定データは、図２に示す中継器３の記憶部３２により、同時に電子血圧計１の血圧センサ２により測定された測定データと比較され、傾きの値及び切片の値を算出し、自動的に補正式が作成される。作成した補正式は、記憶部３２に記憶する。
【００４９】
上記のように補正式を算出し記憶部３２に記憶させる方法は、電子血圧計１を初期設定する場合、および使用中に補正式を校正する場合に有効である。なお、予め使用すべき補正式が判っている場合には、外部から補正式を手動で入力することとしてもよい。
【００５０】
次に、本発明の電子血圧計１の動作の一例を図１、図２を参照して説明する。
【００５１】
まず、図１に示す電子血圧計１の血圧センサ２を生体の末梢部、例えば耳７などに装着し、図２に示す押しボタン３５を押して血圧測定を開始する。
【００５２】
図２に示す制御部３４は、押しボタン３５から入力された測定開始命令を検知して、センサ通信部３１を通じて図１に示す血圧センサ２に血圧測定開始命令を送信する。血圧センサ２は、血圧測定開始命令を受信すると、測定を開始し、計測したデータを逐次中継部３のセンサ通信部３１に送信する。次に、制御部３４は、センサ通信部３１が受信した血圧値データを記憶部３２に送信するようにセンサ通信部３１に向けて命令を出力する。記憶部３２は、予め記憶した補正式によりセンサ通信部３１からの血圧の測定データを補正する。ここで、制御部３４は、通信部３３に命令を出力してデータセンタ４に血圧センサ２からの血圧値データを逐次送信することとしてもよい。この場合、データセンタ４は、受信した血圧値データを、記憶し、解析する。解析の結果、再測定が必要な場合あるいは緊急な処置が必要な場合には、再測定あるいは緊急処置の必要性を知らせる情報を中継器３へ送信する。このようなデータセンタ４を備えることより、電子血圧計１は、より精度のよい血圧計測を実現し、また電子血圧計１を安全性の高い血圧計とすることができる。
【００５３】
制御部３４は、記憶部３２で補正した血圧値を、表示・出力部３６で表示するように記憶部３２に命令を出力する。表示・出力部３６は、補正した血圧値を表示し、出力する。上記一連の動作後、血圧測定を終了する。ここで、表示・出力部３６は、データセンタ４から送信される情報などを表示し、出力する機能を有することとしてもよい。また、データセンタ４から血圧の再測定や緊急の処置の必要性を知らせる情報を受信した場合は、これらの情報を表示・出力部３６に表示及び出力させることとしてもよい。これらの情報を表示・出力することで、計測の状態を視覚的にわかり易くすることができる。そのため、電子血圧計１の使用性が向上する。
【００５４】
以上説明したように、本発明の電子血圧計１は長期間、連続的に血圧を測定し、測定した血圧値と、通常の上腕部などにおいて血圧を測定する血圧計により測定した場合の血圧値との差を補正して出力するので、上腕部で計測した血圧値と略同じである血圧値を得ることができる。そのため、血圧値の判断が容易で、かつ健康管理に有用な電子血圧計を提供できる。
【実施例】
【００５５】
図１に示す電子血圧計１の補正式の妥当性について検証した。電子血圧計１によって耳介において血圧を測定した場合を実施例とした。
【００５６】
図４は複数の被測定者について、同一の被測定者の血圧を、本発明の電子血圧計１と標準測定法により、同時に測定した状態における電子血圧計１と標準測定法により測定した血圧値の関係を示している。図４において、縦軸は標準測定法により測定した血圧値である。横軸は電子血圧計１により測定した血圧値である。また、図４において、△印は電子血圧計１により測定した最高血圧の血圧値と標準測定法により測定した最高血圧の血圧値の関係を示し、○印は電子血圧計１により測定した最低血圧の血圧値と標準測定法により測定した最低血圧の血圧値の関係を示している。
【００５７】
ここで、図４において、△印のデータから作成した実施例により測定した最高血圧の血圧値と標準測定法により測定した最高血圧の血圧値の関係を最小２乗法による直線で近似した。この直線を実線で示す。また、○印のデータから作成した実施例により測定した最低血圧の血圧値と標準測定法により測定した最低血圧の血圧値の関係を最小２乗法による直線で近似した。この直線を破線で示す。
【００５８】
図４において、実線で示すように実施例による最高血圧の測定値と標準測定法による最高血圧の測定値の関係は線形の関係にある。また、破線で示すように実施例による最低血圧の測定値と標準測定法による最低血圧の測定値の関係は線形の関係にある。つまり、両者の関係は数式１、数式２により表されることが明らかであり、本発明の補正式が妥当であることが分かる。ここで、測定者に固有の定数Ａ１は、耳介と上腕部の血管の太さなどにより決まる定数であり、図４に実線で示す直線の傾きの値から決定することができる。また、電子血圧計１を装着する位置と心臓の位置により決まる定数Ｂ１は、直線が縦軸を切る点の縦軸の値（つまり、切片の値）から決定できる。また、同様に、測定者に固有の定数Ａ２は、耳介と上腕部の血管の太さなどにより決まる定数であり、図４に破線で示す直線の傾きの値から決定することができる。また、電子血圧計１を装着する位置と心臓の位置により決まる定数Ｂ２は、線が縦軸を切る点の縦軸の値（つまり、切片の値）から決定できる。図４に示す場合、電子血圧計１を装着する位置と心臓の位置関係を測定することにより、これらの位置の高さの差１０ｃｍ当たり１０ｍｍＨｇとして計算できる。
【００５９】
以上説明したように、本発明の電子血圧計１により測定した最高血圧および最低血圧の血圧値と標準測定法により測定した最高血圧および最低血圧の血圧値との差を、それぞれ別に補正する式を示し、その妥当性を示した。
【００６０】
次に、図４に示す最高血圧および最低血圧に関するデータをまとめて計算して、電子血圧計１により測定した血圧値と標準測定法により測定した血圧値の関係を最小２乗法で近似した直線を作成した。
【００６１】
図５に上記の方法で作成した、電子血圧計１により測定した血圧値と標準測定法により測定した血圧値の関係を近似した直線を示す。ここで、図５において、◇印のデータは、図４に示す△印のデータと○印のデータをまとめて示したものである。
【００６２】
図５に示す直線による最高血圧および最低血圧の両方に共通の補正式は、日常の使用状態においては十分適用可能な、妥当な補正式となることがわかる。
【産業上の利用可能性】
【００６３】
本発明の電子血圧計は、生体の末梢部に装着したセンサによって血圧を測定する電子血圧計であって、測定した血圧値と血圧の前記標準測定法より測定した血圧の測定値の差を補正して、表示する機能を備えた電子血圧計であり、美容施設あるいは娯楽施設の利用者の不慮の事故防止の用途にも適用できる。また、本発明の血圧測定方法は、測定した血圧値と血圧の前記標準測定法より測定した血圧の測定値の差を補正する機器内の動作方法であり、美容施設あるいは娯楽施設の利用者の不慮の事故防止の用途にも適用できる。
【図面の簡単な説明】
【００６４】
【図１】本発明の電子血圧計の構成を示した説明図である。
【図２】本発明の電子血圧計の中継器の構成例を示した説明図である。
【図３】本発明の電子血圧計の補正式の入力方法を示した説明図である。
【図４】本発明の電子血圧計により測定した血圧値と標準測定法により測定した血圧値の関係を示した説明図である。
【図５】本発明の電子血圧計により測定した血圧値と標準測定法により測定した血圧値の関係を示した説明図である。
【図６】血圧の標準測定法の例を示した説明図である。
【符号の説明】
【００６５】
１    電子血圧計
２    血圧センサ
３    中継器
４    データセンタ
５    標準的血圧計
６    血圧計
７    耳
３１    センサ通信部
３２    記憶部
３３    通信部
３４    制御部
３５    押しボタン
３６    表示・出力部
３７    校正部
５１    カフ
５２    測定部
６１    カフ
６２    測定部
６３    空気パイプ
【図１】
2005312741.tif 000005
【図２】
2005312741.tif 000006
【図３】
2005312741.tif 000007
【図４】
2005312741.tif 000008
【図５】
2005312741.tif 000009
【図６】
2005312741.tif 000010
【手続補正書】
【提出日】平成16年5月10日(2004.5.10)
【手続補正１】
【補正対象書類名】特許請求の範囲
【補正対象項目名】請求項８
【補正方法】変更
【補正の内容】
【請求項８】
前記補正ステップにおいて、最高血圧値についての前記補正式を、
Ａ１×前記生体の末梢部で測定した最高血圧値＋Ｂ１で表され、
Ｂ１＝前記生体の末梢部と前記生体の心臓との高さの差を血圧値に換算した定数、
Ａ１＝（前記標準測定法で測定した最高血圧値−Ｂ１）÷前記生体の末梢部で測定した最高血圧値、
とすることを特徴とする請求項７に記載の血圧測定方法。
【手続補正２】
【補正対象書類名】特許請求の範囲
【補正対象項目名】請求項９
【補正方法】変更
【補正の内容】
【請求項９】
前記補正ステップにおいて、最低血圧値についての前記補正式を、
Ａ２×前記生体の末梢部で測定した最低血圧値＋Ｂ２で表され、
Ｂ２＝前記生体の末梢部と前記生体の心臓との高さの差を血圧値に換算した定数、
Ａ２＝（前記標準測定法で測定した最低血圧値−Ｂ２）÷前記生体の末梢部で測定した最低血圧値、
とすることを特徴とする請求項７に記載の血圧測定方法。